(57)【要約】【課題】自局から発信して送信する自局発信データの信号と、他局から自局を経由して別の他局へ送信する中継データの信号と、伝送経路を決定するために使用されるルーティング制御信号を無線により送信する無線通信装置で、例えば、効率的に、アドホック通信を行う。【解決手段】第１のメモリ１１が送信対象となる自局発信データの信号を記憶し、第２のメモリ１２が送信対象となる中継データの信号を記憶し、第３のメモリ１３が送信対象となるルーティング制御信号を記憶し、制御手段２１、２〜５が第１のメモリ１１の記憶内容と第２のメモリ１２の記憶内容と第３のメモリ１３の記憶内容に基づいて、ルーティング制御信号、中継データの信号、自局発信データの信号の順で優先させて、送信対象となる信号を送信する。【選択図】  図２
2008154079.tif 000002
【特許請求の範囲】
【請求項１】
自局から発信して送信する自局発信データの信号と、他局から自局を経由して別の他局へ送信する中継データの信号と、伝送経路を決定するために使用されるルーティング制御信号を無線により送信する無線通信装置において、
送信対象となる前記自局発信データの信号を記憶する第１のメモリと、
送信対象となる前記中継データの信号を記憶する第２のメモリと、
送信対象となる前記ルーティング制御信号を記憶する第３のメモリと、
前記第１のメモリの記憶内容と前記第２のメモリの記憶内容と前記第３のメモリの記憶内容に基づいて、前記ルーティング制御信号、前記中継データの信号、前記自局発信データの信号の順で優先させて、送信対象となる信号を送信する制御手段と、
を備えたことを特徴とする無線通信装置。
【発明の詳細な説明】
【技術分野】
【０００１】
本発明は、例えば、アドホック通信を行う無線通信装置に関し、特に、自局発信データの信号と中継データの信号とルーティング制御信号について効率的な通信を行う無線通信装置に関する。
【背景技術】
【０００２】
例えば、アドホック通信では、複数の無線局装置が同一の無線周波数を使用して情報を伝送することを可能とするために、複数の無線局装置が同時に電波を送信して衝突が起こることを避けることが可能な多重アクセス方式としてＣＳＭＡ（Ｃａｒｒｉｅｒ  Ｓｅｎｓｅ  Ｍｕｌｔｉｐｌｅ  Ａｃｃｅｓｓ）方式が使用されている。
また、データは、特定の無線局装置からの送信によって無線通信路が長時間占有されることを防止するために、適当な大きさのパケットに分割して伝送される。
【０００３】
アドホック通信では、システムを構成する複数の無線局装置の間で、これらの無線局装置の位置関係に適応して決定された伝送経路でデータを中継伝送する。このため、無線局装置の間で伝送される情報としては、伝送データの他に、伝送経路を決めるための信号（ルーティング制御信号）も伝送される。また、各無線局装置が送信するデータとしては、自局が発信元となって送信するデータ（自局発信データ）と、自局が中継局となって他局から受信したデータを別の局に向けて送信するデータ（中継データ）がある。
【０００４】
各無線局装置は、これらの送信情報を一時メモリに蓄積して送信し、例えば、情報を区別せずに、発生した順に送信用メモリに蓄積して、ＦＩＦＯ方式（先入れ先出し方式）で読み出して送信することが行われている。
このような方法では、送信データがメモリに溜まっていると、ルーティング制御信号の送信が、送信データの送信が終了するまで待たされることになる。特に、その送信データの受信先への通信路の伝搬状況が悪いような場合には、再送等のためにデータの送信時間が長くなり、その待ち時間が非常に長くなることもある。
【０００５】
【特許文献１】特開２００３−１８２３４号公報
【発明の開示】
【発明が解決しようとする課題】
【０００６】
しかしながら、アドホック通信のシステムでは、システムを構成する無線局装置の移動が発生して伝送経路の変更が必要になったときには、可能な限り短時間に新しい経路が構築される必要があり、また、経路が消失することをなくす必要がある。
ところが、上述のようにルーティング制御信号の送信で長い時間待たされると、無線局装置の移動にネットワークの更新が追随できないという可能性が生じる。また、無線局装置の移動に追随させるために、構築されてから使用されずに時間がたった経路を消去することが通常行われるが、ルーティング制御信号で伝送できないために、使用できるはずの経路が消去されるということも起こり得る。
【０００７】
また、自局からの送信データがメモリに溜まっていた場合には、他局から中継のために受信したデータも同様に待たされることになる。このような状態は、発信元が送信したデータが宛先に届くまでに長時間を要することになり、例えば、発信元と宛先との間で受信できたら応答を返すような伝送方法をとっていた場合には、応答が戻るまでの時間が長くなり、発信元で応答待ちタイムアウトになるようなことが起こる可能性がある。
従来のメモリの使い方では、以上のような問題が生じる可能性があった。
【０００８】
本発明は、このような従来の事情に鑑み為されたもので、例えば、アドホック通信を行うに際して、自局発信データの信号と中継データの信号とルーティング制御信号について効率的な通信を行うことができる無線通信装置を提供することを目的とする。
【課題を解決するための手段】
【０００９】
上記目的を達成するため、本発明では、自局から発信して送信するデータ（自局発信データ）の信号と、他局から自局を経由して別の他局へ送信するデータ（中継データ）の信号と、伝送経路を決定するために使用されるルーティング制御信号を無線により送信する無線通信装置において、次のような構成とした。
すなわち、第１のメモリが送信対象となる前記自局発信データの信号を記憶し、第２のメモリが送信対象となる前記中継データの信号を記憶し、第３のメモリが送信対象となる前記ルーティング制御信号を記憶する。制御手段が、前記第１のメモリの記憶内容と前記第２のメモリの記憶内容と前記第３のメモリの記憶内容に基づいて、前記ルーティング制御信号、前記中継データの信号、前記自局発信データの信号の順で優先させて、送信対象となる信号を送信する。
【００１０】
従って、ルーティング制御信号が最も優先されることにより、無線通信装置の配置の変更に応じて早く伝送経路を変更（すなわち、変更後の伝送経路を決定）することが可能となり、また、自局発信データと比べて中継データが優先されることにより、既に伝送が途中であるデータ（中継データ）の伝送を早く完了させることができる。このように、例えば、アドホック通信を行うに際して、自局発信データの信号と中継データの信号とルーティング制御信号について効率的な通信を行うことができる。
【００１１】
ここで、自局発信データの信号や、中継データの信号や、ルーティング制御信号としては、それぞれ、種々な信号が用いられてもよい。
なお、アドホック通信における各無線通信装置間の伝送に関する伝送経路を表す経路情報（ルーティング情報）は、例えば、システムを構成する各無線通信装置が、ルーティング制御信号を他局に向けて送信し、他局からのルーティング制御信号を受信して、受信したルーティング制御信号の情報で自局のルーティング制御信号の内容を変更して送信するというように、制御信号の交換を繰り返すことによって生成される。
【００１２】
また、第１のメモリや第２のメモリや第３のメモリに記憶される信号としては、例えば、送信対象となる信号であって変調される前の信号（例えば、デジタル信号）が用いられるが、他の種々な状態の信号が用いられてもよい。
また、データの通信（送信や受信）としては、種々な方式により行われてもよく、例えば、データを複数に分割してパケット化し、１パケットを単位として通信する態様を用いることができる。
【００１３】
また、ルーティング制御信号、中継データの信号、自局発信データの信号の順で優先させて送信する態様としては、種々な態様が用いられてもよく、例えば、優先度が高い方の信号のメモリから順に記憶内容を検査して、送信対象となる信号が記憶されていたら読み出して送信し、送信対象となる信号が記憶されていなかったら次に優先度が高い（つまり、優先度が１つ低い）信号のメモリの記憶内容を検査して同様な処理を行うといった態様を用いることができる。
なお、ある信号の送信中に、現在において送信中である信号よりも高い優先度の信号が発生した場合には、例えば、現在において送信中である信号についてはその区切り（例えば、パケット単位の区切り）までは送信し、その後に、当該高い優先度の信号を送信する。
【００１４】
無線通信システムの一例を示す。
複数の無線通信装置を有し、直接的な無線通信が不可能（或いは、困難）な位置関係にある２つの無線通信装置の間の通信を他の１つ以上の無線通信装置で中継することにより行い、中継に使用する伝送経路を無線通信装置の位置関係の変化に追随して変更する無線通信システムにおいて、
当該無線通信システムが有する無線通信装置は、自局から発信して送信する自局発信データの信号と、他局から自局を経由して別の他局へ送信する中継データの信号と、伝送経路を決定するために使用されるルーティング制御信号を無線により送信し、
送信対象となる前記自局発信データの信号を記憶する第１のメモリと、
送信対象となる前記中継データの信号を記憶する第２のメモリと、
送信対象となる前記ルーティング制御信号を記憶する第３のメモリと、
前記第１のメモリの記憶内容と前記第２のメモリの記憶内容と前記第３のメモリの記憶内容に基づいて、前記ルーティング制御信号、前記中継データの信号、前記自局発信データの信号の順で優先させて、送信対象となる信号を送信する制御手段と、を備えた、
ことを特徴とする無線通信システム。
【００１５】
ここで、２つの無線通信装置について直接的な無線通信が不可能（或いは、困難）な位置関係にあるか否かを決定する手法としては、種々な手法が用いられてもよく、例えば、相互に無線の電波が到達する関係にある場合には直接的な無線通信が可能であると判定し、そうでない場合には直接的な無線通信が不可能（或いは、困難）であると判定する手法を用いることができる。また、電波が到達するか否かを決定する手法としては、例えば、通信相手の無線通信装置から受信される電波（無線の信号）のレベルを検出して、検出されたレベルが所定の閾値以上である（又は、所定の閾値を超える）場合には通信相手からの電波が到達すると判定し、そうでない場合には通信相手からの電波が到達しないと判定する手法を用いることができる。
【００１６】
通信方法の一例を示す。
複数の無線通信装置を有し、直接的な無線通信が不可能（或いは、困難）な位置関係にある２つの無線通信装置の間の通信を他の１つ以上の無線通信装置で中継することにより行い、中継に使用する伝送経路を無線通信装置の位置関係の変化に追随して変更する無線通信システムにおける通信方法において、
当該無線通信システムが有する無線通信装置は、自局から発信して送信する自局発信データの信号と、他局から自局を経由して別の他局へ送信する中継データの信号と、伝送経路を決定するために使用されるルーティング制御信号を無線により送信するに際して、送信対象となる前記自局発信データの信号を記憶する第１のメモリの記憶内容と、送信対象となる前記中継データの信号を記憶する第２のメモリの記憶内容と、送信対象となる前記ルーティング制御信号を記憶する第３のメモリの記憶内容に基づいて、前記ルーティング制御信号、前記中継データの信号、前記自局発信データの信号の順で優先させて、送信対象となる信号を送信する、
ことを特徴とする通信方法。
【発明の効果】
【００１７】
以上説明したように、本発明に係る無線通信装置によると、ルーティング制御信号を最も優先させて送信することにより、無線通信装置の配置の変更に応じて早く伝送経路を変更することが可能であり、また、自局発信データと比べて中継データを優先させて送信することにより、既に伝送が途中であるデータ（中継データ）の伝送を早く完了させることができ、これにより、例えば、アドホック通信を行うに際して、自局発信データの信号と中継データの信号とルーティング制御信号について効率的な通信を行うことができる。
【発明を実施するための最良の形態】
【００１８】
本発明に係る実施例を図面を参照して説明する。
なお、ルーティング制御信号の種類や伝送経路の決定方法については、例えば、標準化団体ＩＥＴＦ（Ｉｎｔｅｒｎｅｔ  Ｅｎｇｉｎｅｅｒｉｎｇ  Ｔａｓｋ  Ｆｏｒｃｅ）の標準方式等が一般に知られており、種々なものが用いられてもよく、本例では詳しい説明を省略する。
【００１９】
図１には、アドホック通信を行うシステム（アドホック通信系）における複数の無線局装置Ａ〜Ｆの配置の一例を示してある。なお、図１において、丸印（○）は無線局装置を示している。
本例では、無線局装置Ａと無線局装置Ｂとの間、無線局装置Ａと無線局装置Ｃとの間、無線局装置Ａと無線局装置Ｄとの間、無線局装置Ｂと無線局装置Ｃとの間、無線局装置Ｂと無線局装置Ｄとの間、無線局装置Ｂと無線局装置Ｅとの間、無線局装置Ｃと無線局装置Ｄとの間、無線局装置Ｃと無線局装置Ｅとの間、無線局装置Ｄと無線局装置Ｅとの間、無線局装置Ｄと無線局装置Ｆとの間、無線局装置Ｅと無線局装置Ｆとの間については、直接的に通信することが可能である。なお、図１では、これを実線で示してある。
また、本例では、無線局装置Ａと無線局装置Ｅとの間、無線局装置Ａと無線局装置Ｆとの間、無線局装置Ｂと無線局装置Ｆとの間については、直接的に通信することができない位置関係にある。なお、図１では、これを破線で示してある。
【００２０】
このような場合、アドホック通信では、例えば、無線局装置Ａと無線局装置Ｅとの間の通信を、無線局装置Ｂ又は無線局装置Ｃを中継局として使用して行い、また、無線局装置Ａと無線局装置Ｆとの間の通信を、無線局装置Ｄを中継局として使用して行い、また、無線局装置Ｂと無線局装置Ｆとの間の通信を、無線局装置Ｄ又は無線局装置Ｅを中継局として使用して行う。
【００２１】
このような中継通信を実現するために、各無線局装置Ａ〜Ｆは、他の無線局装置Ａ〜Ｆとの間でルーティング制御信号を交換して、自局と他局との間でそれぞれ相手に情報を到達させることができる伝送経路を決定し、決定した伝送経路を使用してデータを伝送する。
【００２２】
このようなアドホック通信系では、各無線局装置Ａ〜Ｆから送信する情報（送信情報）として、自局発信のデータ、中継データ、ルーティング制御信号といった３種の情報がある。
具体的に、無線局装置Ｄを例とすると、無線局装置Ｄでは、自局で発生した送信データを送信する他に、無線局装置Ａから無線局装置Ｅへの伝送データ、無線局装置Ｅから無線局装置Ａへの伝送データ、無線局装置Ａから無線局装置Ｆへの伝送データ、無線局装置Ｆから無線局装置Ａへの伝送データ、無線局装置Ｂから無線局装置Ｆへの伝送データ、無線局装置Ｆから無線局装置Ｂへの伝送データを中継データとして受信して再送信する必要があり、また、ルーティング制御信号を送信する必要がある。
【００２３】
本例では、各無線局装置Ａ〜Ｆにおいて、送信用の一時メモリとして、自局発信データ、中継データ、ルーティング制御信号の３種の情報に対して別々のメモリを使用する。
自局発信データ用メモリは、自局からの送信データが発生すると、そのデータを一時記憶する。
中継データ用メモリは、受信されたデータが他局宛てのデータであった場合に、その受信データを一時記憶する。
ルーティング制御信号用メモリは、自己のタイマー又は他局からの制御信号の受信をもとに、ルーティング制御のプロトコルによって作られたルーティング制御信号を一時記憶する。
なお、本例の無線局装置Ａ〜Ｆでは、データを予め決められた大きさのパケットに区切ってメモリに一時記憶し、メモリからパケット単位で読み出して１パケットずつ伝送する。
【００２４】
各無線局装置Ａ〜Ｆでは、送信の処理において、これら３つのメモリに記憶される送信情報の有無をチェックし、ルーティング制御信号用メモリに送信情報がある場合には当該メモリから情報を送信し、ルーティング制御信号メモリに情報がなく中継データ用メモリにデータがある場合には当該メモリからデータを送信し、これら両方のメモリに情報がなく自局発信データ用メモリにデータがある場合には当該メモリからデータを送信する。
【００２５】
図２には、本例の無線局装置Ａ〜Ｆの構成例を示してある。なお、本例では、各無線局装置Ａ〜Ｆは同様な構成を有しており同様な動作を行うため、これらをまとめて説明する。
本例の無線局装置Ａ〜Ｆは、３つの送信メモリ（送信メモリ１、２、３）１１、１２、１３を有した送信メモリ部１と、変調回路２と、送信回路３と、送受スイッチ（送受ＳＷ）４と、アンテナ５と、受信回路６と、復調回路７と、受信メモリ８と、送信制御部２１と受信制御部２２とルーティング制御部２３を有した制御部９を備えている。
【００２６】
ここで、送信メモリ部１は、３つの送信メモリ１１〜１３を有している。
第１の送信メモリ（送信メモリ１）１１は、自局発信データ用メモリであり、自局から発信して送信するデータ（自局発信データ）を記憶する。
第２の送信メモリ（送信メモリ２）１２は、中継データ用メモリであり、他局から受信して宛先となる別の他局へ送信するデータ（中継データ）を記憶する。
第３の送信メモリ（送信メモリ３）１３は、ルーティング制御信号用メモリであり、ルーティング制御のための信号（ルーティング制御信号）の情報を記憶する。
【００２７】
本例の無線局装置Ａ〜Ｆにより行われる概略的な動作の一例を示す。
送信処理においては、送信メモリ部１の送信メモリ１１〜１３のいずれかから送信情報を読み出し、読み出した送信情報について、変調回路２により所定の信号フォーマットに整えて所定の変調方式で変調し、送信回路３により無線周波数へ変換して増幅し、送受スイッチ４を経由して、アンテナ５から無線により送信する。
受信処理においては、アンテナ５により無線受信された信号が送受スイッチ４を経由して受信回路６に入力され、当該受信信号について、受信回路６により周波数変換及び増幅を行い、復調回路７により復調し、そして、当該復調結果の信号が受信メモリ８と制御部９と送信メモリ１２の１つ以上に入力される。
【００２８】
また、外部との送受信データのやりとりは、送信メモリ１１や受信メモリ８を介して行われる。
具体的には、自局から発信する送信対象となるデータは、外部から入力されて、送信メモリ（自局発信データ用メモリ）１１に一時蓄積される。
また、受信メモリ８に一時蓄積された受信データは、外部へ出力される。
なお、外部としては、例えば、種々な装置が用いられてもよい。
【００２９】
制御部９は、無線局装置Ａ〜Ｆにおける各種の動作を制御する機能を有しており、例えば、送信制御部２１と受信制御部２２とルーティング制御部２３を有する。
送信制御部２１は、各送信メモリ１１〜１３における情報蓄積の状態を監視して、送信メモリ（ルーティング制御信号用メモリ）１３、送信メモリ（中継データ用メモリ）１２、送信メモリ（自局発信データ用メモリ）１１の順に優先させるという規則（ルール）に基づいて、これら３つの送信メモリ１１〜１３から情報を読み出し、そして、読み出した情報の種別に基づいて信号フォーマットを構成し、ルーティング情報の記憶内容に基づいて宛先アドレスに対応した次の受信先（次に送信する相手となる無線局装置）を決定し、決定した受信先を指定するアドレスを送信情報に付して変調回路２へ渡す。
【００３０】
受信制御部２２は、受信した信号の種別と宛先を解読し、そして、受信した情報が自局宛てのデータである場合には、受信したデータを受信メモリ８に一時蓄積し、また、受信した情報が他局宛てのデータ（中継データ）である場合には、受信したデータを送信メモリ（中継データ用メモリ）１２に一時蓄積する。
【００３１】
ルーティング制御部２３は、例えば予め設定されたルーティング処理のプロトコルに基づいて、ルーティング制御信号を発生させて送信メモリ（ルーティング制御信号用メモリ）１３に一時蓄積して当該送信メモリ１３を介して送信し、また、他局から受信されたルーティング制御信号を復調回路７から受け取って解析等する。ルーティング制御部２３は、このように他局との間でルーティング制御信号の交換をすることにより、他局（他の無線局装置Ａ〜Ｆ）との間の伝送経路を決定し、決定した伝送経路の情報（ルーティング情報）をメモリ（例えば、ルーティング制御部２３に備えられたメモリ）に記憶しておく。
また、無線局装置Ａ〜Ｆの移動などが生じた場合には、ルーティング制御信号の交換により、無線局装置Ａ〜Ｆの配置の変化に適応して、ルーティング制御部２３に記憶されるルーティング情報が更新される。
【００３２】
図３を参照して、本例の無線局装置Ａ〜Ｆにより行われる送信処理の手順の一例を示す。
なお、各送信メモリ１１〜１３ヘの情報の書き込み（自局発信データ、中継データ、ルーティング制御信号の書き込み）については、上述の通りである。
【００３３】
受信中及び送信中以外の時間（受信中でもなく送信中でもない時間）には、制御部９は、待機状態にあり、３つの送信メモリ１１〜１３のそれぞれに記憶される送信情報（自局発信データ、中継データ、ルーティング制御信号）の有無を監視する。また、他局からの信号を受信したことなどに応じて、受信が開始される場合には、制御部９は、受信処理を行うように制御する（ステップＳ１）。
一方、受信が開始されない場合には、制御部９は、まず、ルーティング制御信号を蓄積するための送信メモリ１３に送信すべきルーティング制御信号が蓄積されているか否かを判定し（ステップＳ２）、送信すべきルーティング制御信号が蓄積されていると判定したときには、そのルーティング制御信号をその送信メモリ１３から読み出して送信を開始する（ステップＳ５）。
【００３４】
また、送信メモリ１３に送信すべきルーティング制御信号が蓄積されていないと判定したときには、制御部９は、次に、中継データを蓄積するための送信メモリ１２に送信すべき中継データが蓄積されているか否かを判定し（ステップＳ３）、送信すべき中継データが蓄積されていると判定したときには、その中継データの１パケット分をその送信メモリ１２から読み出して送信を開始する（ステップＳ６）。
【００３５】
また、送信メモリ１３に送信すべきルーティング制御信号が蓄積されていないと判定し且つ送信メモリ１２に送信すべき中継データが蓄積されていないと判定したときには、制御部９は、次に、自局発信データを蓄積するための送信メモリ１１に送信すべき自局発信データが蓄積されているか否かを判定し（ステップＳ４）、送信すべき自局発信データが蓄積されていると判定したときには、その自局発信データの１パケット分をその送信メモリ１１から読み出して送信を開始する（ステップＳ７）。
【００３６】
上記の３種の送信のいずれにおいても、送信が終了した場合には（ステップＳ８）、制御部９は、待機状態へ戻る（ステップＳ１）。
また、制御部９は、いずれの送信メモリ１１〜１３にも送信すべき送信情報が蓄積されていないと判定したときには、待機状態を続ける（ステップＳ１）。
【００３７】
以上のように、本例では、複数の無線局装置Ａ〜Ｆを用いて構成されて、直接電波が到達しない位置関係にある任意の２つの無線局装置の間の伝送をそれらの間にあって相互に電波が到達する関係にある１又は複数の局で中継することによって実現し、その中継の経路（ルート）を無線局装置の位置関係の変化に追随して変更するアドホック通信系のシステムを構成する無線局装置Ａ〜Ｆにおいて、送信情報を一時記憶するメモリを３種設けて、自局発信の送信データ、中継の送信データ、ルーティング制御信号の送信情報を当該３種のメモリに別々に一時記憶し、そして、これら複数のメモリの２つ以上に送信情報がある場合には、ルーティング制御信号、中継データ、自局発信データの順に優先順位を持たせて、読み出して送信することが行われる。
【００３８】
従って、本例では、例えば、無線局装置Ａ〜Ｆがデータ量の多い自局発信データを送信している途中である場合においても、ルーティング制御信号や中継データが発生したときには、そのときにおける自局発信データの１パケット分の送信が終わったところで、ルーティング制御信号の送信や中継データの送信が割り込んで行われる。また、例えば、他局が送信中であるために中継データの送信が待たされているような場合に、ルーティング制御信号の送信が必要になったときには、その中継データの送信の前に、ルーティング制御信号の送信が割り込んで行われる。
【００３９】
このように、本例では、送信情報の種類によって優先順位を付けた送信が行われ、例えば、ルーティング制御信号の優先度を最も高くすることにより、アドホック通信における伝送経路（ルーティング情報）を常に最適な状態にすることができ、また、中継データの優先度を自局発信データの優先度より高くすることにより、伝送途中（中継の途中）のデータ伝送が長引いてしまうことを防止することができる。
【００４０】
一例として、本例のシステムは、ある程度限定された仲間同士でアドホックネットワークを構成するような場合に適用することができ、この場合、ネットワーク上におけるデータそのものの重要度は自局発信データも中継データも同等であっても、中継データの方を優先的に送信して、一旦ネットワーク上に乗せられたデータ（本例では、中継データ）を早く宛先まで届けるようにする方が、ネットワーク上の遅延時間が短くなり、伝送に望ましい。
【００４１】
なお、本例の無線局装置（無線通信装置）Ａ〜Ｆでは、自局発信データの信号を記憶する送信メモリ１１の機能により第１のメモリが構成されており、中継データの信号を記憶する送信メモリ１２の機能により第２のメモリが構成されており、ルーティング制御信号を記憶する送信メモリ１３の機能により第３のメモリが構成されており、制御部９の送信制御部２１が所定の優先順位に従って３つの送信メモリ１１〜１３から信号（送信情報）を読み出して変調回路２や送信回路３や送受スイッチ４やアンテナ５を介して無線送信する機能により制御手段が構成されている。
【００４２】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４３】
【図１】本発明の一実施例に係るアドホック通信系の一例を示す図である。
【図２】本発明の一実施例に係る無線局装置の構成例を示す図である。
【図３】本発明の一実施例に係る送信処理の手順の一例を示す図である。
【符号の説明】
【００４４】
１・・送信メモリ部、  ２・・変調回路、  ３・・送信回路、  ４・・送受スイッチ、  ５・・アンテナ、  ６・・受信回路、  ７・・復調回路、  ８・・受信メモリ、  ９・・制御部、  １１〜１３・・送信メモリ、  ２１・・送信制御部、  ２２・・受信制御部、  ２３・・ルーティング制御部、
【図１】
2008154079.tif 000003
【図２】
2008154079.tif 000004
【図３】
2008154079.tif 000005